(57)【特許請求の範囲】
【請求項１】
インターネットに接続された第１及び第２の主装置と、前記第１及び第２の主装置にそれぞれ収容された第１及び第２の電話端末とからなり、第１及び第２の電話端末は、入力したアナログ音声信号をデジタル音声信号に変換し、変換したデジタル音声信号を圧縮して、この圧縮音声信号をパケット信号として自身が収容される主装置を介しインターネットに送信する一方、自身が接続される主装置を介しインターネット側から受信したパケット信号を圧縮音声信号に復元し、復元した圧縮音声信号をデジタル音声信号に伸張し、伸張されたデジタル音声信号をアナログ音声信号に変換するインターネット電話装置において、
前記第１及び第２の電話端末は、
音声信号の圧縮及び伸張則として複数の音声符号化則を有する音声符号化手段と、
通話中に保留操作を検出すると自身が収容される主装置に保留コマンドを送信するとともに前記アナログ音声信号の入力を停止する手段とを有し、
前記第１及び第２の主装置は、
前記複数の音声符号化則のうち何れか１つの音声符号化則に基づいて圧縮された圧縮保留音データを格納する記憶部と、
自身に収容される通話中の電話端末である通話端末からの保留コマンドを受信すると、前記通話端末の音声符号化則を自身の記憶部に格納されている圧縮保留音データに応じた音声符号化則に変更させた後、前記通話端末に自身の記憶部の圧縮保留音データを送信し、前記変更させた音声符号化則に基づいてデジタル保留音信号に伸張させる第１の制御手段と
を有することを特徴とするインターネット電話装置。
【請求項２】
請求項１において、
前記第１及び第２の主装置は、
前記通話端末からの保留コマンドを受信すると、前記保留コマンドを前記インターネットを介し前記通話端末と通話中の相手端末を収容した主装置に送信する第２の制御手段と、
前記第２の制御手段により送信された保留コマンドを受信すると、前記相手端末の音声符号化則を自身の記憶部に格納されている圧縮保留音データに応じた音声符号化則に変更させ、かつ前記相手端末へのアナログ音声信号の入力を停止させた後、前記相手端末に自身の記憶部の圧縮保留音データを送信して前記変更させた音声符号化則に基づきデジタル保留音信号に伸張させる第３の制御手段と
を有することを特徴とするインターネット電話装置。
【請求項３】
請求項２において、
前記第１及び第２の電話端末は、
保留中に保留解除操作を検出すると自身が収容される主装置に保留解除コマンドを送信するとともに前記アナログ音声信号の入力停止を解除する手段を有し、
前記第１及び第２の主装置は、
自身に収容される保留中の電話端末である保留端末からの保留解除コマンドを受信すると、前記保留端末の音声符号化則を通話時の音声符号化に変更させるとともに、前記保留解除コマンドを前記インターネットを介し前記相手端末を収容した主装置へ送信し、前記相手端末の音声符号化則を通話時の音声符号化に変更させ、かつ前記相手端末へのアナログ音声信号の入力停止を解除させる手段を有することを特徴とするインターネット電話装置。
【発明の詳細な説明】
【０００１】
【発明の属する技術分野】
本発明は、インターネットプロトコル（ＩＰ）を利用して通話が可能なインターネット電話装置に関する。
【０００２】
【従来の技術】
図４は、従来のインターネット電話装置の構成を示すブロック図である。このインターネット電話装置は、図４に示すように、それぞれがマイク１，スピーカ２及びキーボード３を有するＩＰ電話端末３０Ａ１，３０Ｂ１，・・・を収容した主装置７０Ａと、同様にそれぞれがマイク１，スピーカ２及びキーボード３を有するＩＰ電話端末３０Ｂ１，３０Ｂ２，・・・を収容した主装置７０ＢとがＩＰネットワーク（インターネット）１００を介して接続される構成となっている。
【０００３】
このようなインターネット電話装置では、主装置７０Ａに収容された例えばＩＰ電話端末３０Ａ１が、主装置７０Ｂに収容されたＩＰ電話端末３０Ｂ１と通話を開始する場合、主装置７０Ａは通話に先立ち自装置に収容されているＩＰ電話端末３０Ａ１の音声符号化則（音声符号化方式）の情報を相手側主装置７０Ｂに通知し、主装置７０Ｂに収容されているＩＰ電話端末３０Ｂ１の音声符号化則を変更させる。
【０００４】
ここで、通話が開始されると、ＩＰ電話端末３０Ａ１ではマイク１から入力されたアナログ音声をＡ／Ｄ変換し、前記音声符号化則にしたがった圧縮率で圧縮した後パケット化して主装置７０Ａ，ＩＰネットワーク１００及び主装置７０Ｂを介してＩＰ電話端末３０Ｂ１に送信する。ＩＰ電話端末３０Ｂ１では、受信した音声データパケットを分解処理して変更された音声符号化則に対応した伸張率で伸張し、さらにＤ／Ａ変換を行ってアナログ音声を再生しスピーカ２から送出する。一方、ＩＰ電話端末３０Ｂ１においてもマイク１から入力されたアナログ音声をＡ／Ｄ変換し、変更された前記音声符号化則にしたがった圧縮率で圧縮した後パケット化して主装置７０Ｂ，ＩＰネットワーク１００及び主装置７０Ａを介してＩＰ電話端末３０Ａ１に送信する。ＩＰ電話端末３０Ａ１では、受信した音声データパケットを分解処理して前記音声符号化則に対応した伸張率で伸張し、さらにＤ／Ａ変換を行ってアナログ音声を再生しスピーカ２から送出する。このように、ＩＰ電話端末３０Ａ１，３０Ｂ１は、通話中には互いに共通の音声符号化則にしたがって音声データの圧縮と伸張が行われる。
【０００５】
こうしたＩＰ電話端末３０Ａ１及び３０Ｂ１の通話中に、例えばＩＰ電話端末３０Ａ１が保留操作を行うと、主装置７０Ａはこれを検出して通話時の音声符号化則と同じ例えばＧ．７２９則の圧縮率で圧縮された圧縮保留音データ（Ｇ．７２９）を記憶部７１から取りだしてＩＰ電話端末３０Ａ１に送信する。ＩＰ電話端末３０Ａ１はその圧縮保留音データ（Ｇ．７２９）を前記音声符号化則であるＧ．７２９則に対応した伸張率で伸張し、さらにＤ／Ａ変換を行ってスピーカ２から保留音として送出する。
【０００６】
また、このとき主装置７０Ａは、保留の旨をＩＰネットワーク１００を介して主装置７０Ｂに通知する。すると、主装置７０Ｂでは、同様に通話時の音声符号化則と同じ圧縮率の圧縮保留音データ（Ｇ．７２９）を記憶部７１から取りだしてＩＰ電話端末３０Ｂ１に送信し、ＩＰ電話端末３０Ｂ１にその圧縮保留音データ（Ｇ．７２９）を前記音声符号化則に対応した伸張率で伸張させ、さらにＤ／Ａ変換を行わせてスピーカ２から保留音として送出させる。
【０００７】
【発明が解決しようとする課題】
このように従来は、ＩＰ電話端末３０Ａ１、３０Ａ２及び主装置７０Ａからなるシステムと、ＩＰ電話端末３０Ｂ１、３０Ｂ２及び主装置７０Ｂからなるシステムとでは、保留時には同一の音声符号化則で圧縮された圧縮保留音データを用いて保留音を送出するようにしている。このため、主装置７０側では様々な圧縮保留音データを持つ相手システムに対応できるように、記憶部７１に、図４に示すような、全ての音声符号化則に対応した圧縮保留音データ（Ｇ．７１１），（Ｇ．７２３．１），（Ｇ．７２８），（Ｇ．７２９）を格納しておく必要があり、記憶部７１の記憶容量が増大し装置を経済的に構成できないという課題があった。
【０００８】
したがって、本発明は、ＩＰ電話端末の保留時には主装置の記憶部に予め格納した圧縮保留音データをＩＰ電話端末に送信し保留音として再生させるインターネット電話装置において、主装置の記憶部の記憶容量を低減することを目的とする。
【０００９】
【課題を解決するための手段】
このような課題を解決するために本発明は、ＩＰネットワーク（インターネット）に接続された第１及び第２の主装置と、第１及び第２の主装置にそれぞれ収容された第１及び第２の電話端末とからなり、第１及び第２の電話端末は、入力したアナログ音声信号をデジタル音声信号に変換し、変換したデジタル音声信号を圧縮して、この圧縮音声信号をパケット信号として自身が収容される主装置を介しＩＰネットワークに送信する一方、自身が接続される主装置を介しＩＰネットワーク側から受信したパケット信号を圧縮音声信号に復元し、復元した圧縮音声信号をデジタル音声信号に伸張し、伸張されたデジタル音声信号をアナログ音声信号に変換するインターネット電話装置において、第１及び第２の電話端末に、音声信号の圧縮及び伸張方式として複数の音声符号化則を有する音声符号化手段と、通話中に保留操作を検出すると自身が収容される主装置に保留コマンドを送信するとともにアナログ音声信号の入力を停止する手段とを設け、かつ第１及び第２の主装置に、複数の音声符号化則のうち何れか１つの音声符号化則に基づいて圧縮された圧縮保留音データを格納する記憶部と、自身に収容される通話端末からの保留コマンドを受信すると、通話端末の音声符号化則を自身の記憶部に格納されている圧縮保留音データに応じた音声符号化則に変更させた後、通話端末に自身の記憶部の圧縮保留音データを送信し、変更させた音声符号化則に基づいてデジタル保留音信号に伸張させる第１の制御手段とを設けたものである。
【００１０】
この場合、第１及び第２の主装置に、通話端末からの保留コマンドを受信するとこの保留コマンドをＩＰネットワークを介し通話端末と通話中の相手端末を収容した主装置に送信する第２の制御手段と、第２の制御手段により送信された保留コマンドを受信すると、相手端末の音声符号化則を自身の記憶部に格納されている圧縮保留音データに応じた音声符号化則に変更させ、かつ相手端末へのアナログ音声信号の入力を停止させた後、相手端末に自身の記憶部の圧縮保留音データを送信して、変更させた音声符号化則に基づきデジタル保留音信号に伸張させる第３の制御手段とを設けたものである。
【００１１】
また、第１及び第２の電話端末に、保留中に保留解除操作を検出すると自身が収容される主装置に保留解除コマンドを送信するとともにアナログ音声信号の入力停止を解除する手段を設け、第１及び第２の主装置は、自身に収容される保留端末からの保留解除コマンドを受信すると、この保留端末の音声符号化則を通話時の音声符号化に変更させるとともに、保留解除コマンドをＩＰネットワークを介し相手端末を収容した主装置へ送信し、相手端末の音声符号化則を通話時の音声符号化に変更させ、かつ相手端末へのアナログ音声信号の入力停止を解除させるようにしたものである。
【００１２】
【発明の実施の形態】
以下、本発明について図面を参照して説明する。
図１は本発明に係るインターネット電話装置の構成を示すブロック図である。このインターネット電話装置は、図１に示すように、それぞれがマイク１，スピーカ２及びキーボード３を有するＩＰ電話端末１０Ａ１，１０Ａ２と、ＩＰ電話端末１０Ａ１，１０Ａ２を収容した主装置５０Ａと、それぞれがマイク１，スピーカ２及びキーボード３を有するＩＰ電話端末１０Ｂ１，１０Ｂ２と、ＩＰ電話端末１０Ｂ１，１０Ｂ２を収容した主装置５０Ｂとからなり、主装置５０Ａと主装置５０ＢとはＩＰネットワーク（インターネット）１００を介して接続されている。
【００１３】
主装置５０Ａの記憶部５１には、各ＩＰ電話端末１０Ａ１，１０Ａ２の保留時に各ＩＰ電話端末１０Ａ１，１０Ａ２から保留音を送出させるためのＧ．７２９則の圧縮率で圧縮された圧縮保留音データ（Ｇ．７２９）が格納されている。また、主装置５０Ｂの記憶部５１には、各ＩＰ電話端末１０Ｂ１，１０Ｂ２の保留時に各ＩＰ電話端末１０Ｂ１，１０Ｂ２から保留音を送出させるためのＧ．７１１則の圧縮率で圧縮された圧縮保留音データ（Ｇ．７１１）が格納されている。
【００１４】
ここで、主装置５０Ａに収容された例えばＩＰ電話端末１０Ａ１が、主装置５０Ｂに収容されたＩＰ電話端末１０Ｂ１と通話を開始する場合、主装置５０Ａは通話に先立ち自装置に収容されているＩＰ電話端末１０Ａ１、１０Ｂ１の音声符号化則（音声符号化方式）であるＧ．７２９則の情報を相手側主装置５０Ｂに通知し、ＩＰ電話端末１０Ｂ１の音声符号化則をＧ．７２９則に変更させる。
【００１５】
ここで、通話が開始されると、ＩＰ電話端末１０Ａ１ではマイク１から入力されたアナログ音声をＡ／Ｄ変換し、前記Ｇ．７２９則にしたがって圧縮した後パケット化して主装置５０Ａ，ＩＰネットワーク１００及び主装置５０Ｂを介してＩＰ電話端末１０Ｂ１に送信する。ＩＰ電話端末１０Ｂ１では、受信した音声データパケットを組み立てて前記Ｇ．７２９則に対応した伸張率で伸張し、さらにＤ／Ａ変換を行ってアナログ音声を再生しスピーカ２から送出する。一方、ＩＰ電話端末１０Ｂ１においてもマイク１から入力されたアナログ音声をＡ／Ｄ変換し、同様にＧ．７２９則にしたがって圧縮した後パケット化して主装置５０Ｂ，ＩＰネットワーク１００及び主装置５０Ａを介してＩＰ電話端末１０Ａ１に送信する。ＩＰ電話端末１０Ａ１では、受信した音声データパケットを組み立てて前記Ｇ．７２９則に対応した伸張率で伸張し、さらにＤ／Ａ変換を行ってアナログ音声を再生しスピーカ２から送出する。このように、ＩＰ電話端末１０Ａ１，１０Ｂ１は、通話中には互いに共通のＧ．７２９則で音声データの圧縮及び伸張を行う。
【００１６】
こうしたＩＰ電話端末１０Ａ１及び１０Ｂ１の相互通話中に、例えばＩＰ電話端末１０Ａ１が保留操作を行うと、主装置５０Ａはこれを検出して、記憶部５１に格納されている圧縮保留音データに対応する音声符号化則、即ち通話時と同様のＧ．７２９則をＩＰ電話端末１０Ａ１に通知した後、記憶部５１の圧縮保留音データ（Ｇ．７２９）をＩＰ電話端末１０Ａ１に送信する。この場合、ＩＰ電話端末１０Ａ１はその圧縮保留音データ（Ｇ．７２９）を、通知されている前記Ｇ．７２９則に対応した伸張率で伸張しさらにＤ／Ａ変換を行ってスピーカ２から保留音として送出する。
【００１７】
また、このとき主装置５０Ａは、保留コマンドをＩＰネットワーク１００を介して主装置５０Ｂに通知する。すると、主装置５０Ｂでは、自身の記憶部５１に格納されている圧縮保留音データに対応する音声符号化則、即ち通話時とは異なるＧ．７１１則をＩＰ電話端末１０Ｂ１に通知しＧ．７１１則に変更させた後、記憶部５１の圧縮保留音データ（Ｇ．７１１）をＩＰ電話端末１０Ｂ１に送信する。ＩＰ電話端末１０Ｂ１はその圧縮保留音データ（Ｇ．７１１）を、主装置５０Ｂから通知され変更されている前記Ｇ．７１１則に対応した伸張率で伸張し、さらにＤ／Ａ変換を行ってスピーカ２から保留音として送出する。
【００１８】
このように、ＩＰ電話端末１０Ａ１，１０Ｂ１の保留時には、各主装置５０Ａ，５０Ｂは、それぞれ自身の記憶部５１に格納されている圧縮保留音データの音声符号化則の情報をＩＰ電話端末１０Ａ１，１０Ｂ１に通知した後、記憶部５１の圧縮保留音データをＩＰ電話端末１０Ａ１，１０Ｂ１に送って保留音として再生させるようにしたものである。この結果、各主装置５０Ａ，５０Ｂではそれぞれ１つの圧縮保留音データを記憶部５１に記憶しておくだけで良く、記憶部５１を小容量かつ安価に構成できる。
【００１９】
こうしたＩＰ電話端末１０Ａ１及び１０Ｂ１の保留中にＩＰ電話端末１０Ａ１が保留解除操作を行うと、主装置５０Ａはこれを検出してＩＰ電話端末１０Ａ１に対し通話時と同様の音声符号化則の情報（Ｇ．７２９則の情報）を通知するとともに、主装置５０Ｂに保留解除コマンドを通知する。主装置５０Ｂではこの保留解除コマンドを受信すると、ＩＰ電話端末１０Ｂ１に対し、通話時の音声符号化則に切り替えるように指示する。これにより、通話が再開された時にはＩＰ電話端末１０Ａ１，１０Ｂ１では、共通のＧ．７２９則で音声データの圧縮及び伸張が行われる。
【００２０】
図２は、ＩＰ電話端末１０の詳細な構成を示すブロック図である。ＩＰ電話端末１０には、図２に示すように、保留コマンド送受信手段１１Ａ及び保留解除コマンド送受信手段１１Ｂを有する制御部１１と、通信制御部１２と、主装置インタフェース部１３と、マイク１からの音声を入力する音声入力部１４と、音声の入力・非入力を行う入力オン・オフ部１５と、音声信号をＡ／Ｄ変換するＡ／Ｄ変換部１６と、Ａ／Ｄ変換された音声データを、主装置５０側から通知された音声符号化則にしたがって圧縮し符号化する音声符号化部１７と、音声符号化部１７からの音声データまたは制御部１１からの保留コマンド（または保留解除コマンド）をパケット化し主装置５０側へ送るパケット化部１８とが設けられている。
【００２１】
またＩＰ電話端末１０には、以上の他に、主装置インタフェース部１３及び通信制御部１２を介する主装置５０からのパケット化されたデータを受信すると、その受信パケットを処理するパケット処理部１９と、パケット処理部１９からの音声データを入力して音声符号化則に対応した伸張率で伸張し復号化する音声復号化部２０と、音声復号化部２０により復号化された音声データをＤ／Ａ変換するＤ／Ａ変換部２１と、Ｄ／Ａ変換部２１により変換されたアナログ音声をスピーカ２から送出させる音声出力部２２とが設けられている。
【００２２】
図３は、主装置５０の詳細な構成を示すブロック図である。主装置５０には、図３に示すように、圧縮保留音データを格納した前述の記憶部５１が設けられているとともに、保留コマンド送受信手段５２Ａ及び保留解除コマンド送受信手段５２Ｂを有する制御部５２と、ＩＰ電話端末１０とのインタフェースである端末インタフェース部５３と、通信制御部５４，５５と、ＩＰネットワーク１００とのインターフェースであるネットワークインタフェース部５６とが設けられている。
【００２３】
また、主装置５０には、以上の各部の他に、端末インタフェース部５３及び通信制御部５４を介しＩＰ電話端末１０からのパケットを受信すると、その受信パケットを処理するパケット処理部５７と、制御部５２内の保留コマンド送受信手段５２Ａからの保留コマンド（または保留解除コマンド送受信手段５２Ｂからの保留解除コマンド）をパケット化しＩＰネットワーク１００側へ送るパケット化部５８と、ネットワークインタフェース部５６及び通信制御部５５を介するＩＰネットワーク１００側からのパケット化されたデータを受信すると、この受信パケットを処理するパケット処理部５９と、記憶部５１の圧縮保留音データ及び保留コマンド送受信手段５２Ａからの保留コマンド（または保留解除コマンド送受信手段５２Ｂからの保留解除コマンド）の何れかの出力の切り替えを行う出力切替部６０と、出力切替部６０からの圧縮保留音データ及び保留コマンド（または保留解除コマンド）の一方を入力してパケット化しＩＰ電話端末１０側へ送るパケット化部６１とが設けられている。
【００２４】
次に図１〜図３のブロック図を用いて本インターネット電話装置の動作をさらに詳細に説明する。
主装置５０Ａに収容された例えばＩＰ電話端末１０Ａ１が、主装置５０Ｂに収容されたＩＰ電話端末１０Ｂ１と通話を開始する場合、主装置５０Ａは通話に先立ち自装置の各ＩＰ電話端末１０Ａ１、１０Ｂ１に共通する音声符号化則であるＧ．７２９則の情報を相手側主装置５０Ｂに通知することより、このＧ．７２９則の情報を主装置５０ＢからＩＰ電話端末１０Ｂ１に送信させ、ＩＰ電話端末１０Ｂ１の音声符号化部１７及び音声復号化部２０の音声符号化則をＧ．７２９則に変更させる。
【００２５】
ここで、通話が開始されると、ＩＰ電話端末１０Ａ１では、マイク１から入力され、音声入力部１４及び入力オン・オフ部１５を介するアナログ音声をＡ／Ｄ変換部１６によりＡ／Ｄ変換するとともに、Ａ／Ｄ変換された音声データを音声符号化部１７が前記Ｇ．７２９則にしたがって圧縮符号化し、さらにパケット化部１８によりパケット化する。通信制御部１２は、このパケット化された音声データを主装置インタフェース部１３を介して主装置５０Ａに送信する。
【００２６】
主装置５０Ａでは、ＩＰ電話端末１０Ａ１からのパケット化された音声データを端末インタフェース部５３を介して通信制御部５４が受信すると、そのパケット化された音声データの宛先を解析して通信制御部５５へ送る。通信制御部５５は、このパケット化された音声データをネットワークインタフェース部５６及びＩＰネットワーク１００を介して主装置５０Ｂに送る。
【００２７】
主装置５０Ｂでは、主装置５０Ａからのパケット化された音声データをネットワークインタフェース部５６を介して通信制御部５５が受信すると、そのパケット化された音声データの宛先を解析して通信制御部５４に送る。通信制御部５４は、このパケット化された音声データを端末インタフェース部５３を介してＩＰ電話端末１０Ｂ１に送る。
【００２８】
ＩＰ電話端末１０Ｂ１では、主装置５０Ｂからのパケット化された音声データを主装置インタフェース部１３及び通信制御部１２を介して受信すると、パケット処理部１９によりそのパケット化された音声データの分解処理を行い、さらに音声復号化部２０でその音声データを変更された前記Ｇ．７２９則に対応した伸張率で伸張した後、Ｄ／Ａ変換部２１によりＤ／Ａ変換を行ってアナログ音声として再生し、音声出力部２２を介しスピーカ２から送出する。また、このときＩＰ電話端末１０Ｂ１のマイク１から入力されたアナログ音声も同様に変更されたＧ．７２９則にしたがって圧縮符号化されてパケット化され主装置５０Ｂ、ＩＰネットワーク１００及び主装置５０Ａを介してＩＰ電話端末１０Ａ１に送られる。そしてＩＰ電話端末１０Ａ１において同様に前記Ｇ．７２９則に対応した伸張率で伸張された後、Ｄ／Ａ変換部２１によりＤ／Ａ変換されアナログ音声として、音声出力部２２を介しスピーカ２から送出される。このように、ＩＰ電話端末１０Ａ１，１０Ｂ２では、通話中には互いに共通のＧ．７２９則で音声データの圧縮と伸張が行われる。
【００２９】
こうしたＩＰ電話端末１０Ａ１及び１０Ｂ１の相互通話中に、例えばＩＰ電話端末１０Ａ１のキーボード３による保留操作が行われると、ＩＰ電話端末１０Ａ１の制御部１１はこれを検出して入力オン・オフ部１５を制御することによりマイク１側からの音声の入力を停止するとともに、保留コマンド送受信手段１１Ａに保留コマンドを出力させる。この保留コマンドはパケット化部１８によりパケット化され、通信制御部１２により主装置インタフェース部１３を介し主装置５０Ａに送信される。
【００３０】
このパケット化された保留コマンドは、主装置５０Ａのパケット処理部５７により分解され、保留コマンド送受信手段５２Ａにより保留コマンドとして受信される。保留コマンド送受信手段５２Ａが保留コマンドを受信すると、制御部５２は出力切替部６０の切替を行い、かつ記憶部５１に格納されている保留音データの音声符号化則の情報、すなわちこの場合は通話時と同様のＧ．７２９則の情報を出力切替部６０を介してパケット化部６１に送ることによりこの情報をパケットデータとしてＩＰ電話端末１０Ａ１に送信させ、ＩＰ電話端末１０Ａ１に認識させる。
【００３１】
主装置５０Ａの制御部５２は、続いて出力切替部６０の切替を行い、かつ記憶部５１を制御して記憶部５１の圧縮保留音データ（Ｇ．７２９）を出力切替部６０を介してパケット化部６１に送ることによりパケットデータとしてＩＰ電話端末１０Ａ１に送信させる。ＩＰ電話端末１０Ａ１は、このパケットデータを受信すると、パケット処理部１９によりそのパケット化された圧縮保留音データ（Ｇ．７２９）の分解処理を行い、さらにそのデータを音声復号化部２０で前記Ｇ．７２９則に対応した伸張率で伸張した後、Ｄ／Ａ変換部２１によりＤ／Ａ変換を行ってアナログ音声として再生し、音声出力部２２を介しスピーカ２から送出する。
【００３２】
また、主装置５０Ａの制御部５２は、ＩＰ電話端末１０Ａ１から受信した保留コマンドをパケット化部５８に送ってパケット化させ、通信制御部５５によりこのパケット化された保留コマンドをネットワークインタフェース部５６及びＩＰネットワーク１００を介して主装置５０Ｂへ送信させる。主装置５０Ｂではそのパケット化された保留コマンドを受信すると、パケット処理部５９により分解処理され、保留コマンド送受信手段５２Ａにより保留コマンドとして受信される。この場合、主装置５０Ｂの制御部５２は、出力切替部６０の切替を行い、かつ記憶部５１に格納されている保留音データの音声符号化則の情報、すなわち通話時と異なるＧ．７１１則の情報を出力切替部６０を介してパケット化部６１に送ることにより、パケットデータとしてＩＰ電話端末１０Ｂ１に送信させ、ＩＰ電話端末１０Ｂ１の音声復号化部２０の音声符号化則をＧ．７１１則に変更させる。また、このときＩＰ電話端末１０Ｂ１の制御部１１に入力オン・オフ部１５を制御させることによりマイク１側からの音声の入力を停止させる。
【００３３】
主装置５０Ｂの制御部５２は、ＩＰ電話端末１０Ｂ１にＧ．７１１則の情報を送信した後、出力切替部６０の切替を行い、かつ記憶部５１を制御して記憶部５１の圧縮保留音データ（Ｇ．７１１）を出力切替部６０を介してパケット化部６１に送ることによりパケットデータとしてＩＰ電話端末１０Ａ１に送信させる。ＩＰ電話端末１０Ａ１は、このパケットデータを信すると、パケット処理部１９によりそのパケット化された圧縮保留音データ（Ｇ．７１１）を分解処理し、さらにその圧縮保留音データを音声復号化部２０で変更された前記Ｇ．７１１則に対応した伸張率で伸張する。そして、Ｄ／Ａ変換部２１によりＤ／Ａ変換を行ってアナログ音声として再生し、音声出力部２２を介しスピーカ２から送出する。
【００３４】
このように、ＩＰ電話端末１０Ａ１，１０Ｂ１の保留時には、主装置５０Ａでは、自身の記憶部５１に格納されている圧縮保留音データの音声符号化則、すなわちＧ．７２９則の情報をＩＰ電話端末１０Ａ１に通知した後、記憶部５１の圧縮保留音データ（Ｇ．７２９）をＩＰ電話端末１０Ａ１に送って保留音として再生させる。一方、主装置５０Ｂでは、自身の記憶部５１に格納されている圧縮保留音データの音声符号化則、すなわちＧ．７１１則の情報をＩＰ電話端末１０Ｂ１に通知した後、記憶部５１の圧縮保留音データ（Ｇ．７１１）をＩＰ電話端末１０Ｂ１に送って保留音として再生させる。
【００３５】
こうしたＩＰ電話端末１０Ａ１及び１０Ｂ１の保留中に例えばＩＰ電話端末１０Ａ１のキーボード３による保留解除操作が行われると、ＩＰ電話端末１０Ａ１の制御部１１はこれを検出して、保留解除コマンド送受信手段１１Ｂに保留解除コマンドを出力させる。この保留解除コマンドはパケット化部１８によりパケット化され、通信制御部１２により主装置インタフェース部１３を介し主装置５０Ａに送信される。
【００３６】
ＩＰ電話端末１０Ａ１から送信されたパケット化された保留解除コマンドは、主装置５０Ａのパケット処理部５７により分解処理され、保留解除コマンドとして保留解除コマンド送受信手段５２Ｂにより受信される。保留解除コマンド送受信手段５２Ｂが保留解除コマンドを受信すると、主装置５０Ａの制御部５２は出力切替部６０の切替を行い、保留時と同様のＧ．７２９則の情報を出力切替部６０を介してパケット化部６１に送ることによりパケットデータとしてＩＰ電話端末１０Ａ１に送信させ、ＩＰ電話端末１０Ａ１に認識させる。
【００３７】
また、主装置５０Ａの制御部５２は、ＩＰ電話端末１０Ａ１にＧ．７２９則の情報を送信した後、ＩＰ電話端末１０Ａ１から受信した保留解除コマンドをパケット化部５８に送ってパケット化させ、ネットワークインタフェース部５６及びＩＰネットワーク１００を介して主装置５０Ｂへ送信させる。
【００３８】
主装置５０Ｂではそのパケット化された保留解除コマンドを受信すると、パケット処理部５９により分解処理され、保留解除コマンド送受信手段５２Ｂにより保留解除コマンドとして受信される。この場合、主装置５０Ｂの制御部５２は、出力切替部６０の切替を行って、保留時とは異なるＧ．７２９則の情報を出力切替部６０を介してパケット化部６１に送ることによりパケットデータとしてＩＰ電話端末１０Ｂ１に送信させ、ＩＰ電話端末１０Ｂ１の音声復号化部２０の音声符号化則をＧ．７２９に変更させた後、出力切替部６０の切替を元に戻す。ＩＰ電話端末１０Ｂ１では保留解除コマンドを受信し音声復号化部２０の音声符号化則をＧ．７２９に変更した後、制御部１１が入力オン・オフ部１５を制御しマイク１側からの音声入力の停止を解除させる。一方、保留解除コマンドを送信したＩＰ電話端末１０Ａ１側では、例えば保留解除コマンドを送信した時点から図示しないタイマを起動し、ＩＰ電話端末１０Ｂ１側のこうした保留解除のタイミングを前記タイマにより計時する。そして、その保留解除タイミングになると、制御部１１が同様に入力オン・オフ部１５を制御し、マイク１側からの音声入力の停止を解除する。このようにしてＩＰ電話端末１０Ａ１，１０Ｂ１では保留が解除され、通話が再開される。そして、通話の再開時には、ＩＰ電話端末１０Ａ１，１０Ｂ１では、共通のＧ．７２９則で音声データの圧縮及び伸張が行われる。
【００３９】
本実施の形態では各主装置５０Ａ，５０Ｂの記憶部５１に圧縮保留音データを格納し、ＩＰ電話端末１０Ａ１，１０Ｂ１の保留時にその圧縮保留音データを送信してＩＰ電話端末１０Ａ１，１０Ｂ１に伸張させるようにしたが、圧縮保留音データの他に、アラーム音データ、音声ガイダンスデータ、及び応答メッセージデータをそれぞれ圧縮して記憶部５１に記憶し、必要に応じて各ＩＰ電話端末に送信してそれぞれ伸張させ、アラーム音、音声ガイダンス及び応答メッセージとして再生させるようにしても良い。
【００４０】
【発明の効果】
以上説明したように本発明によれば、ＩＰネットワークに接続された第１及び第２の主装置と、第１及び第２の主装置にそれぞれ収容された第１及び第２の電話端末とからなるシステムにおいて、第１及び第２の電話端末に、音声の圧縮及び伸張則として複数の音声符号化則を有する音声符号化手段と、通話中に保留操作を検出すると自身が収容される主装置に保留コマンドを送信するとともにアナログ音声信号の入力を停止する手段を設け、かつ第１及び第２の主装置に、複数の音声符号化則のうち何れか１つの音声符号化則に基づいて圧縮された圧縮保留音データを格納する記憶部を設け、主装置は、自身に収容される通話端末からの保留コマンドを受信すると、通話端末の音声符号化則を自身の記憶部に格納されている圧縮保留音データに応じた音声符号化則に変更させた後、通話端末に自身の記憶部の圧縮保留音データを送信し、変更させた音声符号化則に基づいてデジタル保留音信号に伸張させるようにしたので、各主装置ではそれぞれ１つの圧縮保留音データを記憶部に格納するだけで良く、したがって記憶部を小容量のもので構成でき、これによりシステムを安価に構成できる。
【００４１】
また、通話端末からの保留コマンドをＩＰネットワークを介し通話端末と通話中の相手端末を収容した主装置に送信する一方、前記相手端末を収容した主装置では、前記保留コマンドを受信すると相手端末の音声符号化則を自身の記憶部に格納されている圧縮保留音データに応じた音声符号化則に変更させ、かつ相手端末へのアナログ音声信号の入力を停止させた後、相手端末に自身の記憶部の圧縮保留音データを送信して、変更させた音声符号化則に基づきデジタル保留音信号に伸張させるようにしたので、同様に各主装置ではそれぞれ１つの圧縮保留音データを記憶部に格納するだけで良く、記憶部の小容量化が可能になる。
【００４２】
また、第１及び第２の電話端末に、保留中に保留解除操作を検出すると自身が収容される主装置に保留解除コマンドを送信するとともにアナログ音声信号の入力停止を解除する手段を設け、第１及び第２の主装置は、自身に収容される保留端末からの保留解除コマンドを受信すると、この保留端末の音声符号化則を通話時の音声符号化に変更させるとともに、保留解除コマンドをＩＰネットワークを介し相手端末を収容した主装置へ送信し、相手端末の音声符号化則を通話時の音声符号化に変更させ、かつ相手端末へのアナログ音声信号の入力停止を解除させるようにしたので、保留解除後の通話再開時には、第１及び第２の電話端末では共通の音声符号化則でデジタル音声信号の圧縮及び伸張を行うことができる。
【図面の簡単な説明】
【図１】  本発明に係るインターネット電話装置の構成を示すブロック図である。
【図２】  上記システムを構成するＩＰ電話端末のブロック図である。
【図３】  上記システムを構成する主装置のブロック図である。
【図４】  従来のインターネット電話装置の構成を示すブロック図である。
【符号の説明】
１…マイク、２…スピーカ、３…キーボード、１０，１０Ａ１，１０Ａ２，１０Ｃ，１０Ｂ１，１０Ｂ２…ＩＰ電話端末、５０，５０Ａ，５０Ｂ…主装置、１１，５２…制御部、１１Ａ，５２Ａ…保留コマンド送受信手段、１１Ｂ，５２Ｂ…保留解除コマンド送受信手段、１５…入力オン・オフ部、１６…Ａ／Ｄ変換部、１７…音声符号化部、１８，５８，６１…パケット化部、１９，５７，５９…パケット処理部、２０…音声復号化部、２１…Ｄ／Ａ変換部、１００…ＩＰネットワーク。
【図１】
0003879535.tif 000002
【図２】
0003879535.tif 000003
【図３】
0003879535.tif 000004
【図４】
0003879535.tif 000005